(57)【特許請求の範囲】
【請求項１】
振出竿の元竿先端部の開口に装着される釣り竿用口栓であって、
前記元竿に収納される元上竿の先端部外周に取付可能であり、前記元竿先端部の内周部と元上竿先端部の外周部との間の隙間より薄い弾性体製の筒状の元上取付部と、
前記元上取付部から連続し前記元上取付部から拡径して延びるテーパ面が形成された外周部を有し、前記外周部が前記元竿先端部内周に取付可能な弾性体製の元竿取付部と、
を備え、
前記元上取付部から前記元竿取付部にかけて軸方向に沿って割り溝が形成されている、
釣り竿用口栓。
【請求項２】
前記弾性体は、ニトリルゴム（ＮＢＲ）である、請求項１に記載の釣り竿用口栓。
【請求項３】
前記元竿取付部の先端は紡錘状に形成されている、請求項１または２のいずれかに記載の釣り竿用口栓。
【発明の詳細な説明】
【０００１】
【発明の属する技術分野】
本発明は、口栓、特に、振出竿の元竿先端部の開口に装着される釣り竿用口栓に関する。
【０００２】
【従来の技術】
振出竿は、元竿と、穂先竿と、元竿と穂先竿との間に設けられた１又は複数の中間竿（中子）とから構成されている。元竿を除く各竿はそれより竿元側の竿体内部に収納され、最終的に元竿内部にすべて収納されるようになっている。このような振出竿では、元竿の内部にそれより穂先側の竿を収納した後、元竿先端の開口に口栓を嵌合し、元竿内部に砂等の異物が侵入するのを防止している。また、この口栓により元竿内部に収納された竿が抜け出るのを防止している。
【０００３】
従来の口栓は、元竿の先端部外周又は内周に嵌め込んで口栓に取り付けられている。
【０００４】
【発明が解決しようとする課題】
前記従来の口栓では、元竿の先端部外周又は内周に嵌め込んでいるので、元竿の外径又は内径に応じて異なるサイズの口栓を用意しなければならない。このため、口栓の種類が元竿の外径又は内径に依存して多くなる。
【０００５】
本発明の課題は、釣り竿用口栓において、異なるサイズの元竿に広範囲に取り付けできるようにすることにある。
【０００６】
【課題を解決するための手段】
発明１に係る釣り竿用口栓は、振出竿の元竿先端部の開口に装着される口栓であって、元上取付部と、元竿取付部とを備えている。元上取付部は、元竿に収納される元上竿の先端部外周に取付可能であり、元竿先端部の内周部と元上竿先端部の外周部との間の隙間より薄い筒状の弾性体製のものである。元竿取付部は、元上取付部から連続し元上取付部から拡径して延びるテーパ面が形成された外周部を有し、外周部が元竿先端部内周に取付可能な弾性体製のものである。また、元上取付部から元竿取付部にかけて軸方向に沿って割り溝が形成されている。
【０００７】
通常、元上竿の外周部と元竿の内周部との間の隙間は、釣り竿のサイズに係わらずほぼ一定の範囲にあることに着目すると、元上取付部の厚みを元竿と元上竿との間の隙間より薄くすれば、元上取付部を元上竿に取り付けた状態で元上竿を元竿に収納することができる。したがってこの口栓を元竿に取り付ける際には、まず、元上竿の先端部外周に元上取付部を被せて取り付ける。この状態では元上取付部は元上竿の外径に応じて膨らみ、それに応じて外周部も膨らむ。そして、元上竿を元竿内に収納すると、外周部に元竿の先端部内周がくい込み、元竿取付部が元竿に保持され、元上竿と元竿とが固定される。ここでは、弾性体製の元上取付部及び元竿取付部が、元上竿の外周部及び元竿の内周部にそれぞれ取り付けられるようにしているので、弾性体の伸びる限度において異なるサイズの釣り竿に広範囲に取り付けできる。
【０００８】
また、外周部に拡径するテーパ面が形成されているので、外周部に元竿先端部内周がよりくい込みやすくなる。
【０００９】
さらに、割り溝により元上取付部及び元竿取付部がさらに伸びるようになり、異なるサイズの釣り竿により広範囲に取り付けできるようになる。
【００１０】
発明２に係る釣り竿用口栓は、発明１に記載の口栓において、弾性体は、ニトリルゴム（ＮＢＲ）である。この場合には、弾性体の伸びが大きいので異なるサイズの釣り竿に広範囲に取り付けできる。
【００１１】
発明３に係る釣り竿用口栓は、発明１または２に記載の口栓において、元竿取付部の先端は紡錘状に形成されている。この場合には、先端が紡錘状で丸いため、口栓を取り付けた状態で口栓にものが当たっても口栓が外れにくい。
【００１２】
【発明の実施の形態】
図１〜図４において、本発明の一実施形態による口栓１０は、振出竿の元竿先端部の開口に装着されるものである。この口栓１０は、元上取付部１１と、元竿取付部１２とを備えている。
【００１３】
元上取付部１１は、元竿に収納される元上竿の先端部外周に取り付けられる中空の部材であり、たとえばニトリルゴム等の弾性体製である。元上取付部１１は、元竿先端部の内周部と元上竿先端部の外周部との間の隙間より薄い筒状の部材である。この元竿先端部の内周部と元上竿先端部の外周部との間の隙間は、振出式の磯釣り竿等の釣り竿では通常よく使用される０．６号から５号までは一律に２．５ｍｍ〜３ｍｍ程度であり、サイズに係わらずほぼ一定の範囲である。ここで、元上取付部１１の外径Ｄは１０ｍｍ程度であり、その内径ｄは８ｍｍ程度である。したがって、厚みｔは１ｍｍ程度であり、前述した隙間より十分に小さい。また、通常使用される最も細い０．６号の元上竿で先端部の外径は、１１．５ｍｍ程度であるため、細い釣り竿の元上竿先端部も内周面で保持できる。
【００１４】
元竿取付部１２は、元竿の先端部内周に取り付けられる中実の部材であり、元上取付部１１と一体で形成された、たとえばニトリルゴム等の弾性体製である。元竿取付部１２は、元上取付部１１から拡径して延びるテーパ面１３が形成された外周部１２ａを有している。この外周部１２ａの最大径Ｄｍａｘは、たとえば２２ｍｍである。ここで、通常使用される最も太い６号の元竿で先端部内径が１７．４ｍｍ程度であるため、太い釣り竿の元竿先端部を外周部１２ａのテーパ面１３で十分に保持できる。元竿取付部１２の外周部１２ａにおいてテーパ面１３より先端部は先端が丸い紡錘状に形成されており、口栓１０を取り付けた状態で口栓１０にものが当たっても口栓１０が外れにくい。
【００１５】
元上取付部１１と元竿取付部１２とには、割り溝１４が形成されている。割り溝１４は、元上取付部１１の端部から元竿取付部１２のテーパ面１３の終端より先端側にかけて軸方向に沿って形成されている。この割り溝１４は、元上取付部１１及び元竿取付部１２がさらに伸びるように設けられている。割り溝１４は、元竿取付部１２において元上取付部１１の内周面と同一面となる深さまで掘り込まれて形成されている。割り溝１４のテーパ面１３側の端部１４ａは丸く円弧状に形成されており、割り溝１４が開いたときに亀裂が入りにくくなっている。
【００１６】
次に、口栓１０の装着手順について説明する。
【００１７】
まず、図５に示すように、元上竿２０を元竿２１から伸ばした状態で元上竿２０の先端部２０ａ外周に元上取付部１１を被せる。ここで元上取付部１１の内径ｄは元上竿２０の先端部２０ａの外径より小さいので、被せられた元上取付部１１はその弾性及び割り溝１４により大きく拡がる。この拡張による弾性復帰力により、元上竿２０の先端部が元上取付部１１に保持される。この拡張により元上取付部１１の厚みはさらに薄くなる。このように元上竿２０に元上取付部１１を被せることで、元上竿２０が保持されるとともに、その内部に収納された竿体の飛び出し及び内部への異物の侵入を可及的に防止できる。
【００１８】
この状態で、図６に示すように、元竿２１内に元上竿２０を収納すると、元上取付部１１の厚みｔは、元上竿の先端部２０ａ外周部と元竿２１の先端部２１ａ内周部との間の隙間より小さいので、元上取付部１１は、元竿２１内に元上竿２０とともに収納される。そして、元竿取付部１２の外周部１２ａのテーパ面１３に元竿２１の先端部２１ａをきつく内嵌めすると、テーパ面１３に元竿２１の内周部がくい込んでテーパ面１３が凹み、その弾性復帰力により元竿２１が保持される。この結果、元竿２１内部への異物の侵入も可及的に防止できる。
【００１９】
ここでは、元上竿２０の先端部２０ａ外周部と元竿２１の先端部２１ａ内周部との間の隙間は、釣り竿のサイズに係わらずほぼ一定の範囲にあることに着目すると、元上取付部１１の厚みを元竿２１と元上竿２１との間の隙間より薄くすれば、隙間が一定の範囲にあるどのようなサイズの釣り竿に対しても口栓１０を元上竿２０に取り付けた状態で元上竿２０を元竿２１に収納することができる。このため、口栓１０を元竿２１に収納すれば、元上竿２０と元竿２１とを確実に保持でき、互換性を大幅に向上させることができる。
【００２０】
〔他の実施形態〕
（ａ）  前記実施形態では、外周部１２ａにテーパ面１３を形成したが、図７に示すように、外周部１２ａは元上取付部１１から連続していればテーパ面がないストレートな形状であってもよい。
【００２１】
（ｂ）  前記実施形態では、弾性体としてニトリルゴムを用いたが、弾性体はこれに限定されるものではなく、ウレタンゴム，スチレンブロック共重合体樹脂等の他の弾性体でもよい。
【００２２】
（ｃ）  口栓の形状は前記実施形態に限定されるものではなく、２つの竿体の隙間よりも薄い元上取付部とそれに連続する外周面を有していればどのような形状でもよい。
【００２３】
【発明の効果】
本発明によれば、弾性体製の元上取付部及び元竿取付部が元上竿の外周部及び元竿の内周部にそれぞれ取り付けられるようにしているので、弾性体の伸びる限度において異なるサイズの釣り竿に広範囲に取り付けできる。
【図面の簡単な説明】
【図１】  本発明の一実施形態による口栓の平面図。
【図２】  その背面図。
【図３】  図２のIII −III 断面図。
【図４】  図２のIV−IV断面図。
【図５】  元上竿の装着状態を示す平面図。
【図６】  元竿の装着状態を示す平面図。
【図７】  他の実施形態の図１に相当する図。
【符号の説明】
１０  口栓
１１  元上取付部
１２  元竿取付部
１２ａ  外周部
１３  テーパ面
１４  割り溝
２０  元上竿
２１  元竿
【図１】
0003731963.tif 000002
【図２】
0003731963.tif 000003
【図３】
0003731963.tif 000004
【図４】
0003731963.tif 000005
【図５】
0003731963.tif 000006
【図６】
0003731963.tif 000007
【図７】
0003731963.tif 000008